【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
複数の記録素子が配列された記録素子列を有する記録部を用いて記録媒体上に記録された検査パターンの読み取り結果に基づいて、補完記録するためのデータを生成する画像処理装置であって、
第１の解像度で検査パターンを読み取った第１の読取結果を取得可能で、且つ、前記第１の解像度よりも低い第２の解像度で検査パターンを読み取った第２の読取結果を取得可能な取得手段と、
前記取得手段が前記第１の読取結果を取得した場合は、前記複数の記録素子において不良記録素子が存在するかどうかを記録素子毎に判断し、前記取得手段が前記第２の読取結果を取得した場合は、前記複数の記録素子において不良記録素子が存在するかどうかを連続する複数の記録素子からなる記録素子群毎に判断する判断手段と、
前記取得手段が前記第１の読取結果を取得した場合、前記判断手段により判断された前記不良記録素子を用いて記録すべき画像を当該不良記録素子以外の記録素子を用いて補完記録するようにデータを生成し、前記取得手段が前記第２の読取結果を取得した場合、前記判断手段により判断された前記不良記録素子を含む記録素子群を用いて記録すべき画像を当該記録素子群以外の記録素子を用いて補完記録するようにデータを生成する生成手段と、
を備えることを特徴とする画像処理装置。
【請求項２】
前記第１の読取結果は、検査パターンではない実画像の記録の指示がないときに読み取られた結果であり、前記第２の読取結果は、検査パターンではない実画像の記録の指示があるときに読み取られた結果であることを特徴とする請求項１に記載の画像処理装置。
【請求項３】
前記第２の読取結果は、所定数以上の実画像が記録されたと判定されたことによって記録が指示された検査パターンを読み取った結果であることを特徴とする請求項１または２に記載の画像処理装置。
【請求項４】
前記第１の読取結果は、メンテナンス動作時に検査パターンを読み取った結果であることを特徴とする１から３のいずれか１項に記載の画像処理装置。
【請求項５】
前記第１の解像度で読み取られた検査パターンと、前記第２の解像度で読み取られた検査パターンは異なるパターンであることを特徴とする請求項１から４のいずれか１項に記載の画像処理装置。
【請求項６】
前記第１の解像度及び前記第２の解像度で読み取り可能な読取手段をさらに備え、
前記取得手段は、前記読取手段が読み取った読取結果を取得することを特徴とする請求項１から５のいずれか１項に記載の画像処理装置。
【請求項７】
前記読取手段を制御する制御手段をさらに有し、
前記制御手段は、記録ジョブを受信していない場合に前記第１の解像度で検査パターンを読み取り、記録ジョブを受信した場合に前記第２の解像度で検査パターンを読み取るように前記読取手段を制御することを特徴とする請求項６に記載の画像処理装置。
【請求項８】
前記第１の解像度は、前記複数の記録素子の配列密度と同じであることを特徴とする請求項１から７のいずれか１項に記載の画像処理装置。
【請求項９】
前記記録部は複数の前記記録素子列を備え、
前記生成手段は、前記取得手段が前記第１の読取結果を取得した場合、前記判断手段で判断された前記不良記録素子を用いて記録すべき画像を、前記複数の記録素子列のうち当該不良記録素子を含む前記記録素子列以外の記録素子列における当該不良記録素子に対応する位置に設けられた記録素子を用いて補完記録するためのデータを生成し、前記取得手段が前記第２の読取結果を取得した場合、前記判断手段で判断された前記不良記録素子を含む記録素子群を用いて記録すべき画像を、前記複数の記録素子列のうち当該記録素子群を含む前記記録素子列以外の記録素子列における当該当該記録素子群に対応する位置に設けられた記録素子を用いて補完記録するためのデータを生成することを特徴とする請求項１から８のいずれか１項に記載の画像処理装置。
【請求項１０】
前記生成手段は、前記取得手段が前記第１の読取結果を取得した場合、前記判断手段で判断された前記不良記録素子を用いて記録すべき画像を、当該不良記録素子が存在する前記記録素子列に含まれる当該不良記録素子以外の記録素子を用いて補完記録するためのデータを生成し、前記取得手段が前記第２の読取結果を取得した場合、前記判断手段により判断された前記不良記録素子を含む記録素子群を用いて記録すべき画像を、当該記録素子群が存在する前記記録素子列に含まれる当該記録素子群に含まれない記録素子を用いて補完するためのデータを生成することを特徴とする請求項１から８のいずれか１項に記載の画像処理装置。
【請求項１１】
前記記録部は、前記記録媒体に対する複数回の相対走査で所定の記録領域への画像の記録を完成させ、
前記生成手段は、前記取得手段が前記第１の読取結果を取得した場合、所定の走査において前記判断手段により判断された前記不良記録素子を用いて記録すべき画像を、前記所定の走査以外の他の走査において当該不良記録素子以外の記録素子を用いて補完記録するためのデータを生成し、前記取得手段が前記第２の読取結果を取得した場合、所定の走査において前記判断手段により判断された前記不良記録素子を含む記録素子群を用いて記録すべき画像を、前記所定の走査以外の他の走査において当該記録素子群に含まれない記録素子を用いて補完記録するためのデータを生成することを特徴とする請求項１から８のいずれか１項に記載の画像処理装置。
【請求項１２】
ユーザの指示により前記読取手段が読み取る解像度を決定する決定手段をさらに有することを特徴とする請求項６から８のいずれか１項に記載の画像処理装置。
【請求項１３】
複数の記録素子が配列された記録素子列を有する記録部を用いて記録媒体上に記録された検査パターンの読み取り結果に基づいて、補完記録するためのデータを生成する画像処理方法であって、
第１の解像度で検査パターンを読み取った第１の読取結果、もしくは、前記第１の解像度よりも低い第２の解像度で検査パターンを読み取った第２の読取結果を取得する取得工程と、
前記取得工程において前記第１の読取結果が取得された場合は、前記複数の記録素子において不良記録素子が存在するかどうかを記録素子毎に判断し、前記取得工程において前記第２の読取結果が取得された場合は、前記複数の記録素子において不良記録素子が存在するかどうかを連続する複数の記録素子からなる記録素子群毎に判断する判断工程と、
前記取得工程において前記第１の読取結果が取得された場合、前記判断工程において判断された前記不良記録素子を用いて記録すべき画像を当該不良記録素子以外の記録素子を用いて補完記録するようにデータを生成し、前記取得工程において前記第２の読取結果が取得された場合、前記判断手段により判断された前記不良記録素子を含む記録素子群を用いて記録すべき画像を当該記録素子群以外の記録素子を用いて補完記録するようにデータを生成する生成工程と、
を備えることを特徴とする画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００６
【補正方法】変更
【補正の内容】
【０００６】
本発明は、複数の記録素子が配列された記録素子列を有する記録部を用いて記録媒体上に記録された検査パターンの読み取り結果に基づいて、補完記録するためのデータを生成する画像処理装置であって、第１の解像度で検査パターンを読み取った第１の読取結果を取得可能で、且つ、前記第１の解像度よりも低い第２の解像度で検査パターンを読み取った第２の読取結果を取得可能な取得手段と、前記取得手段が前記第１の読取結果を取得した場合は、前記複数の記録素子において不良記録素子が存在するかどうかを記録素子毎に判断し、前記取得手段が前記第２の読取結果を取得した場合は、前記複数の記録素子において不良記録素子が存在するかどうかを連続する複数の記録素子からなる記録素子群毎に判断する判断手段と、前記取得手段が前記第１の読取結果を取得した場合、前記判断手段により判断された前記不良記録素子を用いて記録すべき画像を当該不良記録素子以外の記録素子を用いて補完記録するようにデータを生成し、前記取得手段が前記第２の読取結果を取得した場合、前記判断手段により判断された前記不良記録素子を含む記録素子群を用いて記録すべき画像を当該記録素子群以外の記録素子を用いて補完記録するようにデータを生成する生成手段と、を備えることを特徴とする。